(57)【要約】【目的】  オーディオ再生装置において、外部接続されたメモリに記録されたオーディオデータを再生中に不具合があった場合、自動的に対応する。【構成】  オーディオ再生装置において、オーディオデータが記録されたＵＳＢメモリと、ＵＳＢメモリから読み出したオーディオデータを記憶するメモリと、ＵＳＢコントローラ又はメモリからのオーディオデータをアナログオーディオ信号に復号する復号器と、再生操作部を備え、再生操作されたとき、ＵＳＢメモリから再生対象オーディオデータを高速に読み出しメモリに記憶させてオーディオ再生を開始させる。【選択図】  図１
2012079359.tif 000002
【特許請求の範囲】
【請求項１】
オーディオデータが記録されたＵＳＢメモリと、前記ＵＳＢメモリと着脱可能に接続され前記ＵＳＢメモリからオーディオデータを読み出すＵＳＢコントローラと、前記ＵＳＢコントローラが読み出したオーディオデータを記憶するメモリと、前記ＵＳＢコントローラが受信したオーディオデータ又は前記メモリが記憶したオーディオデータをアナログオーディオ信号に復号して出力する復号器と、前記ＵＳＢコントローラの入出力及び前記メモリの入出力を制御する制御部と、再生操作する再生操作部とを備え、前記再生操作部によって再生操作されたとき、前記制御部は、前記ＵＳＢコントローラを制御して前記ＵＳＢメモリから再生対象となるオーディオデータを再生速度より高速に読み出し前記メモリに記憶させ、前記ＵＳＢコントローラ及び前記復号器を制御してオーディオ再生を開始させることを特徴とするオーディオ再生装置。
【請求項２】
請求項１に記載のオーディオ再生装置であって、前記ＵＳＢコントローラは前記ＵＳＢメモリから受信したオーディオデータを監視し前記ＵＳＢメモリからオーディオデータの再生中にオーディオデータの不具合があった場合、前記制御部は、前記メモリに記憶されたオーディオデータに切り換えて再生することを特徴とするオーディオ再生装置。
【請求項３】
請求項１または請求項２に記載のオーディオ再生装置であって、前記制御部は、前記ＵＳＢメモリからオーディオデータの再生中に前記再生操作部によって一時停止操作されたとき、前記ＵＳＢメモリからオーディオデータの前記メモリへの記憶を続行させることを特徴とするオーディオ再生装置。
【請求項４】
請求項１乃至請求項３のいずれか一項に記載のオーディオ再生装置であって、オーディオデータの前記メモリへの記憶終了を表示する表示部を備え、前記制御部は、前記ＵＳＢメモリから再生対象のオーディオデータを前記メモリに記憶し終えたとき、前記ＵＳＢメモリからオーディオデータ再生中の場合には前記メモリに記憶されたオーディオデータに切り換えて再生させ、前記表示部に記憶終了を表示させることを特徴とするオーディオ再生装置。
【請求項５】
請求項１、請求項２、または請求項４に記載のオーディオ再生装置であって、前記ＵＳＢコントローラは前記ＵＳＢメモリから受信したオーディオデータを監視し前記ＵＳＢメモリからオーディオデータの再生中にオーディオデータの不具合があった場合、前記制御部は、前記メモリに予め記憶された再生状況の不具合を示すオーディオデータに切り換えて再生することを特徴とするオーディオ再生装置。
【発明の詳細な説明】
【技術分野】
【０００１】
本発明は、ディジタルオーディオ再生を行うオーディオ再生装置に関する。
【背景技術】
【０００２】
近年、ＵＳＢ（Universal Serial Bas）メモリを搭載した音声送出装置、再生装置等がある。このような装置は、ＵＳＢメモリに格納されたオーディオデータを読み込み復号し再生する。ＵＳＢメモリは可搬タイプとして利便性が高いので、複数のパソコンにおいてオーディオデータを記録し、持ち運び再生装置に接続して再生するという利用方法が一般的に考えられる。ＵＳＢメモリは通常リムーバブルディスクとして使用される。そのため、装置の内部ではなく外側に接続される場合が多い（例えば、特許文献１参照）。
【先行技術文献】
【特許文献】
【０００３】
【特許文献１】特開２００５−５６４７９公報
【発明の概要】
【発明が解決しようとする課題】
【０００４】
ＵＳＢメモリを用いた装置は、取り扱いが簡単で使用しやすいという利点がある反面、装置の外側（フロントパネル面等）に接続されるので、ユーザーの取り扱いの不具合によって、再生している状態において、ＵＳＢメモリを間違って取り外したりしてしまい再生を停止してしまう可能性がある。またＵＳＢメモリ自体の偶発的な故障により、ＵＳＢメモリからデータを読み出すことが不可能になり再生を停止してしまうことも考えられる。その場合、ＵＳＢメモリに記録されているデータを読み出して復号し再生を行なうので、再生音が停止してしまう。
【０００５】
本発明では、ユーザーが希望するオーディオデータが記録されているＵＳＢメモリから連続的に再生を行い、上記のような不具合が発生した場合、ユーザーが希望するオーディオデータを途切れなく再生し続けることを可能にすることを目的とする。また、再生中に、ＵＳＢメモリを取り外すことができるようにすることを目的とする。
【課題を解決するための手段】
【０００６】
本願発明に係るオーディオ再生装置は、オーディオデータが記録されたＵＳＢメモリと、前記ＵＳＢメモリと着脱可能に接続され前記ＵＳＢメモリからオーディオデータを読み出すＵＳＢコントローラと、前記ＵＳＢコントローラが読み出したオーディオデータを記憶するメモリと、前記ＵＳＢコントローラが受信したオーディオデータ又は前記メモリが記憶したオーディオデータをアナログオーディオ信号に復号して出力する復号器と、前記ＵＳＢコントローラの入出力及び前記メモリの入出力を制御する制御部と、再生操作する再生操作部とを備え、前記再生操作部によって再生操作されたとき、前記制御部は、前記ＵＳＢコントローラを制御して前記ＵＳＢメモリから再生対象となるオーディオデータを再生速度より高速に読み出し前記メモリに記憶させ、前記ＵＳＢコントローラ及び前記復号器を制御してオーディオ再生を開始させるものである。
【０００７】
また、前記ＵＳＢコントローラは前記ＵＳＢメモリから受信したオーディオデータを監視し前記ＵＳＢメモリからオーディオデータの再生中にオーディオデータの不具合があった場合、前記制御部は、前記メモリに記憶されたオーディオデータに切り換えて再生するものである。
また、前記制御部は、前記ＵＳＢメモリからオーディオデータの再生中に前記再生操作部によって一時停止操作されたとき、前記ＵＳＢメモリからオーディオデータの前記メモリへの記憶を続行させるものである。
また、オーディオデータの前記メモリへの記憶終了を表示する表示部を備え、前記制御部は、前記ＵＳＢメモリから再生対象のオーディオデータを前記メモリに記憶し終えたとき、前記ＵＳＢメモリからオーディオデータ再生中の場合には前記メモリに記憶されたオーディオデータに切り換えて再生させ、前記表示部に記憶終了を表示させるものである。
また、前記ＵＳＢコントローラは前記ＵＳＢメモリから受信したオーディオデータを監視し前記ＵＳＢメモリからオーディオデータの再生中にオーディオデータの不具合があった場合、前記制御部は、前記メモリに予め記憶された再生状況の不具合を示すオーディオデータに切り換えて再生するものである。
【発明の効果】
【０００８】
本発明のオーディオ再生装置によれば、外部接続されたＵＳＢメモリに記録されているオーディオデータを再生中にＵＳＢメモリからのオーディオデータ送信に不具合があった場合、自動的に対応し再生を続行することができる。
【図面の簡単な説明】
【０００９】
【図１】本発明の一実施例のオーディオ再生装置の構成を示すブロック図である。
【発明を実施するための形態】
【００１０】
ＵＳＢメモリ１は、オーディオデータが記録されていて、ディジタルオーディオ再生装置８に着脱可能に装着され、ユーザーが再生を希望するオーディオデータをＵＳＢコントローラ２に送信する。ＵＳＢメモリ１へのオーディオデータの記録は、ユーザーがパソコン等を用いて、ユーザー自身が後で再生しようとするオーディオデータを記録する。オーディオデータは、通常、ＭＰ３フォーマットやＰＣＭフォーマットで記録される。
ＵＳＢコントローラ２は、ＵＳＢメモリ１から送信されたオーディオデータを受信し、受信したオーディオデータを制御部４に送信する。ＵＳＢメモリ１との通信は、ＵＳＢホスト動作で接続され，ＵＳＢメモリ用の電源とデータ通信信号ライン（＋Ｄ，−Ｄ）にてデータ通信が行われる。
【００１１】
ＵＳＢコントローラ２は、通信の状況及び電源を監視する。具体的には、ＵＳＢメモリ１の通信内容や応答と、電源供給が規定容量内で行われているかを監視し、ＵＳＢメモリから受信したオーディオデータとＵＳＢメモリ１を監視している電源と通信の情報を制御部４に送信する。監視状況において不具合が発生した場合には、制御部４に不具合を通知する情報を送信する。このような不具合は、ＵＳＢメモリ１の接続の緩みや外れ、ＵＳＢメモリ１の故障などによって発生する。
メモリ３は、制御部４に接続され、ＵＳＢメモリ１に記憶されユーザーが指定したオーディオデータが再生速度よりも高速で送信され、そのオーディオデータを記憶する。
制御部４は、マイクロコンピュータで構成され、オーディオ再生装置８の全体的な制御を行う。
復号器５は、制御部４からのオーディオデータをアナログオーディオ信号に変換して出力する。
【００１２】
再生操作部６は、再生ボタン、停止ボタン、一時停止ボタン等を備え、ユーザーからの操作を受けて、制御部４に再生操作信号を入力する。
再生操作部６によって、ユーザーからの再生指示が制御部４に入力されたとき、
制御部４は、ＵＳＢコントローラ２を制御してＵＳＢメモリ１から再生対象となるオーディオデータをメモリ３に転送し記憶させて、ＵＳＢコントローラ２及び復号器５を制御してオーディオ再生を開始させる。
表示部７は、制御部４に接続され、ＵＳＢメモリ１から読み出されたオーディオデータのメモリ３への記憶動作を行っているか停止しているかの表示を行う。
【００１３】
ユーザーが再生操作部６の再生ボタンを操作すると、再生対象となるオーディオデータがＵＳＢメモリ１からＵＳＢコントローラ２に読み出され、制御部４を介してメモリ３に記憶される。メモリ３に記憶したオーディオデータの容量が制御部４で予め設定されたデータ量以上になると、制御部４は、メモリ３に記憶されたオーディオデータを復号器５に出力させ、又は、ＵＳＢコントローラ２を介してＵＳＢメモリ１からオーディオデータを読み出して復号器５に出力させ、再生を開始する。ＵＳＢメモリ１からメモリ３へのオーディオデータの記憶は、再生速度よりも高速に行われる。
【００１４】
制御部４は、ＵＳＢコントローラ２によってＵＳＢメモリ１から再生されているオーディオデータの不具合を通知する情報を受信すると、不具合が発生したオーディオデータの位置（アドレス）を検出し、メモリ３に記憶されたオーディオデータに切り換え、メモリ３に記憶されたオーディオデータの同じアドレスから再生を続行する。
【００１５】
ＵＳＢメモリ１からオーディオデータをメモリ３に記憶しオーディオデータの再生中にユーザーが再生操作部６の一時停止ボタンを操作したとき、制御部４は、再生を一時停止させ、ＵＳＢメモリ１からオーディオデータのメモリ３への記憶は続行させる。
【００１６】
ＵＳＢメモリ１から再生対象のオーディオデータをメモリ３に記憶し終えたとき、制御部４は、オーディオデータをメモリ３に記憶し終えたことを表示部７に表示させ、ＵＳＢメモリ１からオーディオデータ再生中の場合、メモリ３に記憶されたオーディオデータに切り換えて再生させる。ユーザーは、この表示を見て、メモリ３からオーディオデータの再生中であっても、ＵＳＢメモリ１の取り外し可能であることを知ることができ、ＵＳＢメモリ１を取り外したり、他のＵＳＢメモリに交換したりすることができる。
【００１７】
本実施例のオーディオ再生装置８においては、ＵＳＢコントローラ２がＵＳＢメモリ１からのオーディオデータに不具合が生じた場合、予めメモリ３に記憶したオーディオデータに切り換えて再生を継続する構成としたが、ＵＳＢコントローラ２が、ＵＳＢメモリ１からオーディオデータの再生中に再生状況を監視し不具合があった場合、制御部４は、メモリ３に予め記憶された再生状況の不具合を示す音声や音楽等のオーディオデータに切り換えて再生する構成としても良い。このことにより、ユーザーは、不具合があったことを知ることができる。
このとき、不具合を直接的に示す音声や音楽ではなく、ある特定の音楽を再生するように設定しておけば、不具合が生じた場合でも、周囲の聴取者には不具合を知らせず、設定を知る管理者等の特定ユーザーだけが、不具合を知ることができる。
【００１８】
ＨＤＤ(Hard Disc Drive)、ＣＦ(Compact Flash)、ＳＤ(Secure Digital)メモリーカード等の記憶媒体からＵＳＢインタフェースを介してオーディオデータを読み出す形態のプレーヤであっても、本発明を適用して実施することができる。
本発明は、店舗やディスプレイ等で使用する目的の業務機器分野に有用で、人がついていないときに不具合があっても、自動的に再生を継続することが可能となる。
【符号の説明】
【００１９】
１  ＵＳＢメモリ
２  ＵＳＢコントローラ
３  メモリ
４  制御部
５  復号器
６  再生操作部
７  表示部
８  オーディオ再生装置
【図１】
2012079359.tif 000003